(57)【要約】【課題】簡単な作業で、美しく開口させて商品を陳列できるようにする。【解決手段】各一対の端壁１及び側壁２からそれぞれ延出した内フラップ４と外フラップ６とを貼り合わせて封緘する厚紙製の箱において、突き合わされる一方の外フラップ６に、両側縁間に亘る横方向の横切線８を入れ、その裏面に重なる両方の内フラップ４に、先端縁の横切線８に重なる位置から他方の外フラップ６に重なる側縁まで延びる枠切線９と、外フラップ６の突合縁に重なる位置に沿って先端縁から枠切線９まで延びる中切線１０とを入れ、他方の外フラップ６を折返状態に保持するロック１１を設ける。一方の外フラップ６を横切線８に沿って切断し、他方の外フラップ６を開くだけで、内フラップ４も枠切線９及び中切線１０に沿って切断され、所定形状に開口する。【選択図】  図４
2004291998.tif 000002
【特許請求の範囲】
【請求項１】
各一対の端壁１及び側壁２からそれぞれ延出した内フラップ４と外フラップ６とを貼り合わせて封緘する厚紙製の箱において、突き合わされる一方の外フラップ６に、両側縁間に亘る横方向の横切線８を入れ、その裏面に重なる両方の内フラップ４に、先端縁の横切線８に重なる位置から他方の外フラップ６に重なる側縁まで延びる枠切線９と、外フラップ６の突合縁に重なる位置に沿って先端縁から枠切線９まで延びる中切線１０とを入れ、他方の外フラップ６を折返状態に保持するロック１１を設けたことを特徴とする梱包陳列兼用箱。
【発明の詳細な説明】
【０００１】
【発明の属する技術分野】
この発明は、商品の輸送のための梱包と、店頭での陳列に兼用する厚紙製の箱に関するものである。
【０００２】
【従来の技術】
一般に、商品の梱包に使用する段ボール箱には、図５に示すように、各一対の端壁５１及び側壁５２の上下縁からそれぞれ延出した内フラップ５３と外フラップ５４とを貼り合わせて封緘するものが使用されている。
【０００３】
この段ボール箱を店頭に多数積み上げて商品を陳列する際には、例えば、正面へ向ける一方の側壁５２をカッターナイフ等で切り抜いて、その開口部から商品を露出させるようにする。
【０００４】
【発明が解決しようとする課題】
しかしながら、上記のように、側壁をカッターナイフで切り抜く方法では、手間がかかるだけでなく、積み上げる箱の開口部の形状が不揃いになり、売場の美観を損ね、商品の購買意欲を低下させる恐れがある。
【０００５】
そこで、この発明は、簡単な作業で、美しく開口させて商品を陳列できる梱包陳列兼用箱を提供することを課題とする。
【０００６】
【課題を解決するための手段】
上記課題を解決するため、この発明に係る梱包陳列兼用箱は、突き合わされる一方の外フラップに、両側縁間に亘る横方向の横切線を入れ、その裏面に重なる両方の内フラップに、先端縁の横切線に重なる位置から他方の外フラップに重なる側縁まで延びる枠切線と、外フラップの突合縁に重なる位置に沿って先端縁から枠切線まで延びる中切線とを入れ、他方の外フラップを折返状態に保持するロックを設けたのである。
【０００７】
この箱では、一方の外フラップを横切線に沿って切断し、他方の外フラップを開くと、内フラップも枠切線及び中切線に沿って切断され、その内側の一部が他方の外フラップに貼り付いた状態で、フラップによる封緘面が開口し、他方の外フラップを折り返してロックで保持しておくと、開口状態が維持される。
【０００８】
【発明の実施の形態】
以下、この発明の実施の形態を添付図面に基づいて説明する。
【０００９】
この梱包陳列兼用箱は、図１に示すような段ボール製ブランクから組み立てられ、図２に示すように商品を梱包するものである。
【００１０】
図１に示すブランクでは、各一対の端壁１及び側壁２が交互に連設され、端部側の側壁２の外側縁に継代片３が連設されている。端壁１の上下縁には内フラップ４，５が、側壁２の上下縁には外フラップ６，７がそれぞれ連設されている。
【００１１】
また、このブランクの上部側において、一方の外フラップ６には、両側縁間に亘る横方向の横切線８が入れられ、両方の内フラップ４には、枠切線９と中切線１０とが入れられている。横切線８、枠切線９及び中切線１０は、鉤形の切目が断続するジッパー型のものとされている。
【００１２】
ここで、図２に示すように組み立てた際、枠切線９は、内フラップ４の先端縁における横切線８に重なる位置から他方の外フラップ６に重なる側縁まで延び、中切線１０は、両方の外フラップ６の突合縁に重なる位置に沿って、内フラップ４の先端縁から枠切線９まで延びるようになっている。
【００１３】
また、他方の外フラップ６と側壁２の稜部には、陳列時にこの外フラップ６を折返状態に保持するため、テーパー状の２本の切込に挟まれたロック１１が設けられている。
【００１４】
いま、このようなブランクを組み立てて商品を梱包するには、まず、各一対の端壁１及び側壁２を継代片３を介し角環状に繋ぎ、下方の内フラップ５と外フラップ７とを貼り合わせて底面を閉止する。
【００１５】
そして、箱内に商品を収納した後、図２に示すように、上方の内フラップ４と外フラップ６とを貼り合わせて天面を閉止する。この封緘は、ホットメルト接着剤等で行う。
【００１６】
一方、商品を陳列する際には、図３に示すように、フラップ４，６による封緘面を正面側へ向け、その面の一方の外フラップ６を横切線８に沿って切断し、図４に示すように、他方の外フラップ６を開く。
【００１７】
これに伴い、内フラップ４も枠切線９及び中切線１０に沿って切断され、その内側の一部が他方の外フラップ６に貼り付いた状態で、この面が開口する。
【００１８】
そして、他方の外フラップ６を折り返し、ロック１１を折り曲げて、外フラップ６が側壁２の外面に沿うように保持しておくと、開口状態が維持される。
【００１９】
このように、上記梱包陳列兼用箱では、簡単な作業で所定形状の開口部が形成されるので、店員の作業負荷が軽減され、また、売場の美観が向上し、販売促進効果を期待することができる。
【００２０】
また、この状態で多数の箱を積み上げると、折り返された外フラップ６及びこれに貼り付いた内フラップ４の部分により、上面となった側壁２の前部が厚くなるので、上段側の箱が前のめりになることが防止される。
【００２１】
さらに、図２に示す梱包状態では、各一対の側壁１及び端壁２から成る周壁に切目がないので、従来の箱と同様の耐圧強度が確保され、段積み時に周壁が座屈して醜い外観を呈したり、商品に悪影響を与えたりすることがない。
【００２２】
そのほか、図１に示すブランクは、通常の溝切り形段ボール箱と同様に、罫線を入れ、溝を切った後、部分的な型で切目を入れて製造できるので、全体を型で打ち抜くものよりも、低コストで製造できる。
【００２３】
【発明の効果】
以上のように、この発明に係る梱包陳列兼用箱では、一方の外フラップを横切線に沿って切断し、他方の外フラップを開くだけで、内フラップも枠切線及び中切線に沿って切断され、所定形状に開口するので、陳列に伴う作業負荷が軽減され、また、売場の美観が向上し、販売促進効果を期待することができる。
【図面の簡単な説明】
【図１】この発明に係る梱包陳列兼用箱のブランクを示す図
【図２】同上の梱包状態を示す斜視図
【図３】同上の封緘面を正面に向けた斜視図
【図４】同上の陳列時における開口状態を示す斜視図
【図５】従来の梱包箱の陳列時における開口状態を示す斜視図
【符号の説明】
１  端壁
２  側壁
４  内フラップ
６  外フラップ
８  横切線
９  枠切線
１０  中切線
１１  ロック
【図１】
2004291998.tif 000003
【図２】
2004291998.tif 000004
【図３】
2004291998.tif 000005
【図４】
2004291998.tif 000006
【図５】
2004291998.tif 000007